(57)【要約】【課題】携帯端末について、ユーザの利便性向上に関してマクロ機能をより効果的に活用できるようにする。【解決手段】携帯端末１は、操作コマンド提供装置１３から送信される携帯端末操作コマンドを受信し、その携帯端末操作コマンドをキーマクロとして登録して記憶するキーマクロ記憶部７と、キーマクロ記憶部に登録されているキーマクロの実行のためのキー操作に対応するキーイベントを生成するキーイベント生成部８とを備え、キーマクロ記憶部に登録されているキーマクロのいずれか１つをユーザが選択するのを受けてキーイベント生成部によりキーイベントが生成されることにより、当該ユーザ選択のキーマクロが実行されるようになっている。【選択図】図１
2012147154.tif 000002
【特許請求の範囲】
【請求項１】
マクロ機能を有した携帯端末において、
操作コマンド提供装置から送信される携帯端末操作コマンドを受信し、この受信した携帯端末操作コマンドをキーマクロとして登録して記憶するキーマクロ記憶部と、前記キーマクロ記憶部に登録されているキーマクロの実行のためのキー操作に対応するキーイベントを生成するキーイベント生成部とを備え、前記キーマクロ記憶部に登録されているキーマクロのいずれか１つをユーザが選択するのを受けて前記キーイベント生成部により前記キーイベントが生成されることにより、当該ユーザ選択のキーマクロが実行されるようになっていることを特徴とする携帯端末。
【発明の詳細な説明】
【技術分野】
【０００１】
本発明は、マクロ機能を有した携帯端末に関する。
【背景技術】
【０００２】
携帯電話機に代表される無線通信システム上の携帯端末にはマクロ機能を搭載する例が知られている（例えば、特許文献１、特許文献２）。マクロ機能とは、コンピュータが実行する特定の処理における一連の操作手順を示す情報であるマクロを活用する機能である。このようなマクロ機能は、携帯端末の操作支援として有効であり、効果的に活用することで携帯端末の操作性を向上させてユーザの利便性を高めることができる。
【０００３】
特許文献１の携帯端末（携帯電話機）では、マクロをキーマクロとし、そのキーマクロを実行させるためのマクロキーボタンを設けるようにしている。この場合、マクロの実行に際してユーザがマクロキーボタンを操作する必要があり、その分だけユーザの負担が残ることになる。
【０００４】
一方、特許文献２の携帯端末では、マクロが示す一連の操作手順の実行の契機となるイベントを生成して登録するイベント生成部を設けるようにしている。このような携帯端末は、イベント生成部に登録されているイベントが発生すると、その発生したイベントに対応するマクロが自動的に実行されることになり、特許文献１のマクロキーボタンを設ける方式に比べて、ユーザの負担を軽減することが可能となる。
【先行技術文献】
【特許文献】
【０００５】
【特許文献１】特開平８−２９３９０８号公報
【特許文献２】ＷＯ２００６／１０４２１７号公報
【発明の概要】
【発明が解決しようとする課題】
【０００６】
特許文献１の携帯端末のように、マクロをキーマクロとする方式は、携帯端末におけるマクロ機能の活用として特に有効な方式の一つである。しかし、特許文献１の携帯端末では、キーマクロを実行のためにユーザによるマクロキーボタンの操作を必要とし、ユーザの負担軽減という点で必ずしも十分でない。これに対し、特許文献２の携帯端末のように、所定のイベントの発生を契機としてマクロを自動的に実行させる方式は、マクロの実行に関してユーザの負担を軽減できるという点では優れている。しかしこの方式では、イベントの生成やそのイベントとマクロとの関連付けの生成などについてユーザに負担を強いることになり、マクロ機能の活用によるユーザの利便性向上という観点からすると、必ずしも十分とはいえない。
【０００７】
本発明は、以上のような携帯端末におけるマクロ機能の活用に関する従来の事情に鑑みてなされたものであり、携帯端末について、ユーザの利便性向上に関してマクロ機能をより効果的に活用できるようにすることを課題とている。
【課題を解決するための手段】
【０００８】
上記課題を解決するために本発明では、マクロ機能を有した携帯端末において、操作コマンド提供装置から送信される携帯端末操作コマンドを受信し、この受信した携帯端末操作コマンドをキーマクロとして登録して記憶するキーマクロ記憶部と、前記キーマクロ記憶部に登録されているキーマクロの実行のためのキー操作に対応するキーイベントを生成するキーイベント生成部とを備え、前記キーマクロ記憶部に登録されているキーマクロのいずれか１つをユーザが選択するのを受けて前記キーイベント生成部により前記キーイベントが生成されることにより、当該ユーザ選択のキーマクロが実行されるようになっていることを特徴としている。
【０００９】
このような本発明による携帯端末では、キーマクロ記憶部に登録してあるキーマクロを実行するには、例えばキーマクロ選択用のメニュー画面で実行対象のキーマクロをユーザが選択するだけでよく、その選択を受けてキーイベント生成部がキーマクロ実行のためのキー操作に対応するキーイベントを生成し、これにより当該ユーザ選択のキーマクロが自動的に実行されることになる。すなわち本発明による携帯端末では、携帯端末にとって特に有効な方式の一つであるキーマクロ方式でマクロ機能を活用しつつ、しかもキーマクロ方式におけるキーマクロの実行に際し、過誤操作の可能性があるなどユーザにとって負担の大きいキー操作をユーザが行わずに済み、したがってマクロ機能をより効果的に活用でき、ユーザの利便性をより向上させることが可能となる。また本発明による携帯端末では、例えば上位装置やメンテナンス用ＰＣが用いられる操作コマンド提供装置によりマクロ用の携帯端末操作コマンドが作成されることになるので、マクロ機能におけるマクロの作成に関する負担をユーザに負わせずに済み、このことでもユーザの利便性をさらに向上させることが可能となる。
【発明の効果】
【００１０】
以上のような本発明によれば、携帯端末について、マクロ機能をより効果的に活用でき、ユーザの利便性をより向上させることが可能となる。
【図面の簡単な説明】
【００１１】
【図１】一実施例による携帯端末のブロック構成を示す図である。
【図２】キーマクロ登録時の表示例を示す図である。
【図３】キーマクロ実行時の表示例を示す図である。
【発明を実施するための形態】
【実施例】
【００１２】
図１に、一実施例による携帯端末のブロック構成を示す。本実施例の携帯端末１は、表示部２、キー操作部３、パスワード照合部４、無線部５、制御部６、キーマクロ記憶部７、及びキーイベント生成部８を備えている。これら各機能部の内、携帯端末１が有するマクロ機能に関するキーマクロ記憶部７とキーイベント生成部８以外の各機能部は、一般的な携帯端末が通常的に備えている機能部である。そこで、まず通常的な機能部について簡単に説明する。
【００１３】
表示部２は、携帯端末１の使用に際して必要となる様々な表示（例えば受信したメッセージの表示や各種のメニュー画面の表示など）を行う。キー操作部３は、各種キーを有し、携帯端末１の使用に際して必要となる様々な入力（例えば、電話番号の入力やパスワードの入力、あるいは送信するメッセージの入力など）を行うのに機能する。パスワード照合部４は、キー操作部３でユーザが入力するパスワードを照合して携帯端末１を操作可能な状態にするのに機能する。無線部５は、アンテナ１１を有しており、携帯端末１に関わる無線通信システムを構成する基地局１２や他の携帯端末と携帯端末１の間で送受信するのに機能する。制御部６は、各機能部を制御するのに機能する。
【００１４】
次に、携帯端末１を特徴付けるマクロ機能に関連するキーマクロ記憶部７とキーイベント生成部８について説明する。キーマクロ記憶部７は、操作コマンド提供装置１３から送信される携帯端末操作コマンドを受信し、その受信した携帯端末操作コマンドをキーマクロとして登録して記憶する。キーマクロとして登録する携帯端末操作コマンドは、操作コマンド提供装置１３で作成され、その例としては、例えばＩＤ変更に関するコマンド、周波数変更に関するコマンド、閾値変更に関するコマンドなど様々なものがあり得る。これらの携帯端末操作コマンドのキーマクロとしての登録は、例えばＩＤ変更コマンドをキーマクロＮｏ．１、周波数変更コマンドをキーマクロＮｏ．２、閾値変更コマンドをキーマクロＮｏ．３とするなどしてなされる。
【００１５】
ここで、操作コマンド提供装置１３は、基地局１２との無線通信の圏内であれば、基地局１２を含む無線通信網上に設置されるコンピュータ装置であり、圏外であれば、メンテナンス用コンピュータ装置である。無線通信網上に設置されるコンピュータ装置は、例えば基地局１２に設置された上位装置やこの上位装置に接続されているコンピュータ装置である（図１の例では操作コマンド提供装置１３が基地局１２に設置された上位装置としてある）。一方、メンテナンス用コンピュータ装置は、操作コマンド提供機能を有した携帯端末保守ツールなどが搭載された汎用のＰＣであるのが通常である。操作コマンド提供装置１３からの携帯端末操作コマンドの送信は、無線通信網上に設置されるコンピュータ装置の場合であれば、一斉呼出しやブロードキャスト通知などでなされ、メンテナンス用コンピュータ装置の場合であれば、携帯端末１が基本的な機能として備えているＲＳ−２３２Ｃなどの外部インターフェースによる有線通信でなされる。
【００１６】
キーイベント生成部８は、キーマクロ記憶部７に登録されているキーマクロを実行するのに必要となるキー操作に対応するキーイベントを自動的に生成するのに機能する。すなわち、後述のキーマクロ選択用のメニュー画面で実行対象のキーマクロ（例えばＩＤ変更コマンドであるキーマクロＮｏ．１）をユーザが選択するのを受けてキーイベント生成部８が所定のキーイベントを自動的に生成し、それによりユーザ選択のキーマクロ（例えばキーマクロＮｏ．１）が呼び出され、その実行がなされるということである。したがって、キーマクロの実行に際し、過誤操作の可能性があるなどユーザにとって負担の大きいキー操作をユーザが行わずに済むことになる。
【００１７】
以下では携帯端末１におけるマクロ機能に関する動作例を説明する。まず、携帯端末操作コマンドの受信からキーマクロの登録までの動作例について、動作中の表示部２による表示例を示す図２を参照しつつ説明する。なお、図２の例では、無線通信圏内の場合、つまり操作コマンド提供装置１３が上位装置である場合としてある。
【００１８】
操作コマンド提供装置１３からの携帯端末操作コマンドの受信は、携帯端末１が通常の待受け中にある状態（図２の（ａ））でなされる。通常の待受け中に操作コマンド提供装置１３から携帯端末操作コマンド（例えばＩＤ変更コマンド）が送信されてくると、その受信がなされ、図２の（ｂ）の例のように表示部２による表示が「携帯端末操作コマンド受信中」に切り替わる。この状態で携帯端末操作コマンドの受信が完了とすると、図２の（ｃ）の例のように表示部２による表示がキーマクロ登録要否選択用のメニュー画面に切り替わり、このメニュー画面で「はい」がユーザにより選択されれば、受信した携帯端末操作コマンドのキーマクロとしての登録処理（例えば受信したＩＤ変更コマンドをキーマクロＮｏ．１として登録する処理）がキーマクロ記憶部７により開始される。
【００１９】
そして、登録処理が完了すると、図２の（ｄ）の例のように表示部２による表示が「キーマクロＮｏ．１に登録しました」に切り替わり、ユーザにキーマクロの登録完了を報せる。この登録完了の報知がなされると、通常の待受け中に戻り、携帯端末操作コマンドの受信からキーマクロの登録までの一連の動作が完了となる。なお、キーマクロ登録要否選択用のメニュー画面で「いいえ」がユーザにより選択された場合には、その時点でキーマクロの登録動作は停止となって通常の待受け中に戻ることになる。
【００２０】
次に、キーマクロ記憶部７に登録されているキーマクロを実行する際の動作例について、動作中の表示部２による表示例を示す図３を参照しつつ説明する。キーマクロの実行に際しては、まずキーマクロ選択用のメニュー画面（図３の（ａ））を表示させる。このメニュー画面の表示は、ショートカットキー操作やメインメニューからの遷移としてなすようにするのが通常である。キーマクロ選択用のメニュー画面では、キーマクロ記憶部７に登録されているキーマクロ（例えば、キーマクロＮｏ．１：ＩＤ変更コマンド、キーマクロＮｏ．２：周波数変更コマンド、キーマクロＮｏ．３：閾値変更コマンドなど）が一覧的に表示され、その一つをユーザが選択することができる。図３の（ａ）の例では「キーマクロＮｏ．１：ＩＤ変更コマンド」が選択された場合となっており、これを受けて、図３の（ｂ）の例のように表示部２による表示がキーマクロ実行要否選択用のメニュー画面に切り替わり、このメニュー画面で「はい」がユーザにより選択されれば、キーマクロの実行処理が開始される。具体的には、「はい」の選択によりキーマクロＮｏ．１の実行指示がなされ、これを受けてキーイベント生成部８がキーマクロの実行に必要となるキー操作に対応するキーイベントを自動的に生成し、これを契機としてＩＤ変更コマンドが呼び出され、それが実行される。
【００２１】
キーマクロの実行処理が始まると、図３の（ｃ）の例のように表示部２による表示が通常のキー操作の画面（ＩＤ変更コマンドであるキーマクロＮｏ．１の実行の場合であると、ＩＤ変更用の画面となる）に切り替わる。ただし、この際には、誤操作を避けるためにユーザのキー操作を受け付けないキーロック状態とし、各種着信イベントのみを有効イベントとして処理する状態にある。この間にキーマクロの実行が進み、それが完了すると、図３の（ｄ）の例のように表示部２による表示が「キーマクロＮｏ．１を完了しました」に切り替わり、ユーザにキーマクロの実行完了を報せる。この実行完了を報知がなされると、キーマクロ選択用のメニュー画面が再度表示され、一つのキーマクロ実行における一連の動作が完了となる。
【００２２】
ここで、携帯端末１のマクロ機能におけるキーマクロとして登録される携帯端末操作コマンドは、上述のように、操作コマンド提供装置１３で作成される、つまり操作コマンド提供装置１３となる上位装置やメンテナンス用ＰＣなどで作成される。このことは、携帯端末１のマクロ機能に関して、携帯端末１と操作コマンド提供装置１３、それに携帯端末１に関わる無線通信網が一つのシステム（携帯端末用マクロ機能システム）を形成しているともいえる。そして、このような携帯端末用マクロ機能システムにあっては、マクロの作成をユーザが負担する場合では困難であったマクロ（例えばシステムパラメタやパスワードで保護された設定変更など）についても容易に携帯端末のマクロ機能に取り込むことが可能となる。このため、携帯端末操作コマンドにパスワードなどを含めることで、従来では保守員のような専門知識を持った者でなければ行うことが困難であった設定変更などでも、マクロ機能を活用して容易に行えるようになり、携帯端末のユーザ利便性をさらに一層高めることが可能となる。
【００２３】
以上、本発明を実施するための形態について説明したが、これは代表的な例に過ぎず、本発明はその趣旨を逸脱することのない範囲で様々な形態で実施することができる。
【符号の説明】
【００２４】
１    携帯端末
７    キーマクロ記憶部
８    キーイベント生成部
１３    操作コマンド提供装置
【図１】
2012147154.tif 000003
【図２】
2012147154.tif 000004
【図３】
2012147154.tif 000005